(57)【特許請求の範囲】
【請求項１】
衛星デジタル音声放送受信アンテナと、混合器と、受信信号を受信端において再放射する再送信アンテナを備え、
前記混合器が、互いに異なる周波数帯の信号を入力する少なくとも３つの入力端子と、
電力を混合する第１の電源フィルタ及び第１のフィルタ手段を備えて前記異なる周波数帯のうちの第１の周波数帯の信号が通過する第１の伝送経路と、
電力を混合する第２の電源フィルタ及び第２のフィルタ手段を備えて前記異なる周波数帯のうちの第２の周波数帯の信号が通過する第２の伝送経路と、
電力を混合する第３の電源フィルタ及び第３のフィルタ手段を備えて前記異なる周波数帯のうちの第３の周波数帯の信号が通過する第３の伝送経路とを有し、
前記第２の伝送経路と第３の伝送経路の信号出力端同士は第２の周波数帯と第３の周波数帯の信号を混合するよう接続され、当該接続点から引出された伝送経路には、第２の周波数帯と第３の周波数帯の信号を通過させる第４のフィルタ手段が設けられ、前記第１の伝送経路の出力端と前記第４のフィルタ手段の出力端は、前記第１，第２及び第３の周波数帯の信号を混合するよう接続され、当該接続点から引出された伝送経路は電力を分離する第４の電源フィルタを介して出力端子に接続され、
更に前記第４の電源フィルタの電源分離端と、前記第１，第２及び第３の電源フィルタの電源混合端とはそれぞれ接続され、前記出力端子から第１，第２及び第３の伝送経路の各入力端子に電流通過を可能として構成され、
前記衛星デジタル音声放送受信アンテナで受信した衛星デジタル音声放送受信信号を前記混合器の第３の伝送経路の入力端子に入力して、前記混合器が他の入力信号と混合して衛星デジタル音声放送受信信号を出力端子から受信端へ向けて１本の伝送経路で伝送し、
受信端において衛星デジタル音声放送受信信号を前記再送信アンテナから放射させることを特徴とする衛星受信システム。
【請求項２】
混合器は、第４の電源フィルタの電源分離端と第１，第３の電源フィルタの電源混合端との間に定電圧を出力する安定化電源を設けて、出力端子に供給される電力により第１、第３の伝送経路の各入力端子に定電圧電源を供給可能とし、前記第４の電源フィルタの電源分離端と、前記第２の電源フィルタの電源混合端と接続し、前記出力端子から第２の伝送経路の入力端子に電流通過を可能にしてなる請求項１記載の衛星受信システム。
【請求項３】
衛星デジタル音声放送受信アンテナと、混合器と、受信信号を受信端において再放射する再送信アンテナを備え、
前記混合器が、互いに異なる周波数帯の信号を入力する少なくとも３つの入力端子と、
伝送信号を増幅する第１の増幅装置及び第１のフィルタ手段を備えて前記異なる周波数帯のうちの第１の周波数帯の信号が通過する第１の伝送経路と、
電力を混合する第２の電源フィルタ，伝送信号を増幅する第２の増幅装置及び第２のフィルタ手段を備えて前記異なる周波数帯のうちの第２の周波数帯の信号が通過する第２の伝送経路と、
電力を混合する第３の電源フィルタ，伝送信号を増幅する第３の増幅装置及び第３のフィルタ手段を備えて前記異なる周波数帯のうちの第３の周波数帯の信号が通過する第３の伝送経路と、
商用電源から電源供給を受けて直流の定電圧に変換し出力する電源部とを有し、前記第２の伝送経路と第３の伝送経路の信号出力端同士は第２の周波数帯と第３の周波数帯の信号を混合するよう接続され、当該接続点から引出された伝送経路には、第２の周波数帯と第３の周波数帯の信号を通過させる第４のフィルタ手段が設けられ、前記第１の伝送経路の出力端と前記第４のフィルタ手段の出力端は、前記第１，第２及び第３の周波数帯の信号を混合するよう接続され、当該接続点から引出された伝送経路は電力を分離する第４の電源フィルタを介して出力端子に接続され、
更に前記第４の電源フィルタの電源分離端と第２の電源フィルタの電源混合端とが接続されて、前記出力端子から第２の伝送経路の入力端子に電流通過を可能とし、前記電源部が前記第１，第２及び第３の増幅装置に電力を供給すると共に、前記第３の電源フィルタの電源混合端に接続されて第３の伝送経路の入力端子に電力を供給するよう構成され、
前記衛星デジタル音声放送受信アンテナで受信した衛星デジタル音声放送受信信号を前記混合器の第３の伝送経路の入力端子に入力して、前記混合器が他の入力信号と混合して衛星デジタル音声放送受信信号を出力端子から受信端へ向けて１本の伝送経路で伝送し、
受信端において衛星デジタル音声放送受信信号を前記再送信アンテナから放射させることを特徴とする衛星受信システム。
【請求項４】
他の信号から分離された衛星デジタル音声放送受信信号を、衛星デジタル音声放送受信信号を増幅する増幅装置、及び衛星デジタル音声放送受信信号のみ通過させるバンドパスフィルタを介して再送信アンテナから再放射させる請求項１乃至３の何れかに記載の衛星受信システム。
【発明の詳細な説明】
【０００１】
【発明の属する技術分野】
本発明は、主に異なる周波数帯の信号を混合する際に利用される混合器及びその混合器を備えた衛星受信システムに関し、詳しくは衛星デジタル音声放送からの信号を他の信号と混合する混合器を用いたシステムに関する。
【０００２】
【従来の技術】
２．６ＧＨｚ帯域を使用した衛星デジタル音声放送は、移動体向けであり、一般住宅やＣＡＴＶ施設内等で受信するためには、新しく同軸ケーブル等の伝送線路を引く必要があった。
【０００３】
【発明が解決しようとする課題】
このように、衛星デジタル音声放送を一般住宅やＣＡＴＶ施設内で受信する場合、既設のテレビ信号を伝送する伝送システムが設けられていても別に新たに衛星デジタル音声放送信号の伝送線路を増設しなければならず、既存設備に更に伝送線路を増設するのは困難であるという問題があった。
また、伝送線路が複数本となるシステム工事は複雑であるため、システム構築費がアップしてしまうといった問題もあった。
【０００４】
そこで本発明は、衛星デジタル音声放送を他の信号と良好に混合可能で、且つ少ない設備変更のみで衛星デジタル音声放送信号を伝送できる混合器を備えた衛星受信システムを提供することを目的とする。
【０００５】
【課題を解決するための手段】
上記課題を解決するために、請求項１の発明は、衛星デジタル音声放送受信アンテナと、混合器と、受信信号を受信端において再放射する再送信アンテナを備え、前記混合器が、互いに異なる周波数帯の信号を入力する少なくとも３つの入力端子と、電力を混合する第１の電源フィルタ及び第１のフィルタ手段を備えて前記異なる周波数帯のうちの第１の周波数帯の信号が通過する第１の伝送経路と、電力を混合する第２の電源フィルタ及び第２のフィルタ手段を備えて前記異なる周波数帯のうちの第２の周波数帯の信号が通過する第２の伝送経路と、電力を混合する第３の電源フィルタ及び第３のフィルタ手段を備えて前記異なる周波数帯のうちの第３の周波数帯の信号が通過する第３の伝送経路とを有し、前記第２の伝送経路と第３の伝送経路の信号出力端同士は第２の周波数帯と第３の周波数帯の信号を混合するよう接続され、当該接続点から引出された伝送経路には、第２の周波数帯と第３の周波数帯の信号を通過させる第４のフィルタ手段が設けられ、前記第１の伝送経路の出力端と前記第４のフィルタ手段の出力端は、前記第１，第２及び第３の周波数帯の信号を混合するよう接続され、当該接続点から引出された伝送経路は電力を分離する第４の電源フィルタを介して出力端子に接続され、更に前記第４の電源フィルタの電源分離端と、前記第１，第２及び第３の電源フィルタの電源混合端とはそれぞれ接続され、前記出力端子から第１，第２及び第３の伝送経路の各入力端子に電流通過を可能として構成され、前記衛星デジタル音声放送受信アンテナで受信した衛星デジタル音声放送受信信号を前記混合器の第３の伝送経路の入力端子に入力して、前記混合器が他の入力信号と混合して衛星デジタル音声放送受信信号を出力端子から受信端へ向けて１本の伝送経路で伝送し、受信端において衛星デジタル音声放送受信信号を前記再送信アンテナから放射させることを特徴とする。
【０００６】
請求項２の発明は、請求項１の発明において、混合器は、第４の電源フィルタの電源分離端と第１，第３の電源フィルタの電源混合端との間に定電圧を出力する安定化電源を設けて、出力端子に供給される電力により第１、第３の伝送経路の各入力端子に定電圧電源を供給可能とし、前記第４の電源フィルタの電源分離端と、前記第２の電源フィルタの電源混合端と接続し、前記出力端子から第２の伝送経路の入力端子に電流通過を可能にしてなることを特徴とする。
【０００７】
請求項３の発明は、衛星デジタル音声放送受信アンテナと、混合器と、受信信号を受信端において再放射する再送信アンテナを備え、前記混合器が、互いに異なる周波数帯の信号を入力する少なくとも３つの入力端子と、伝送信号を増幅する第１の増幅装置及び第１のフィルタ手段を備えて前記異なる周波数帯のうちの第１の周波数帯の信号が通過する第１の伝送経路と、電力を混合する第２の電源フィルタ，伝送信号を増幅する第２の増幅装置及び第２のフィルタ手段を備えて前記異なる周波数帯のうちの第２の周波数帯の信号が通過する第２の伝送経路と、電力を混合する第３の電源フィルタ，伝送信号を増幅する第３の増幅装置及び第３のフィルタ手段を備えて前記異なる周波数帯のうちの第３の周波数帯の信号が通過する第３の伝送経路と、商用電源から電源供給を受けて直流の定電圧に変換し出力する電源部とを有し、前記第２の伝送経路と第３の伝送経路の信号出力端同士は第２の周波数帯と第３の周波数帯の信号を混合するよう接続され、当該接続点から引出された伝送経路には、第２の周波数帯と第３の周波数帯の信号を通過させる第４のフィルタ手段が設けられ、前記第１の伝送経路の出力端と前記第４のフィルタ手段の出力端は、前記第１，第２及び第３の周波数帯の信号を混合するよう接続され、当該接続点から引出された伝送経路は電力を分離する第４の電源フィルタを介して出力端子に接続され、更に前記第４の電源フィルタの電源分離端と第２の電源フィルタの電源混合端とが接続されて、前記出力端子から第２の伝送経路の入力端子に電流通過を可能とし、前記電源部が前記第１，第２及び第３の増幅装置に電力を供給すると共に、前記第３の電源フィルタの電源混合端に接続されて第３の伝送経路の入力端子に電力を供給するよう構成され、前記衛星デジタル音声放送受信アンテナで受信した衛星デジタル音声放送受信信号を前記混合器の第３の伝送経路の入力端子に入力して、前記混合器が他の入力信号と混合して衛星デジタル音声放送受信信号を出力端子から受信端へ向けて１本の伝送経路で伝送し、受信端において衛星デジタル音声放送受信信号を前記再送信アンテナから放射させることを特徴とする。
【００１１】
請求項４の発明は、請求項１乃至３の何れかに記載の発明に於いて、他の信号から分離された衛星デジタル音声放送受信信号を、衛星デジタル音声放送受信信号を増幅する増幅装置、及び衛星デジタル音声放送受信信号のみ通過させるバンドパスフィルタを介して再送信アンテナから再放射させることを特徴とする。
【００１２】
【発明の実施の形態】
以下に、本発明を具体化した実施形態を、図面を基に詳細に説明する。図１は、本発明に係る衛星受信システムの第１の実施形態のブロック図を示し、図２は混合器の一例であり、図１に使用されている混合器の内部ブロック図を示している。
【００１３】
図１において、ＶＨＦアンテナ１およびＵＨＦアンテナ２で受信されたＶＨＦ帯域のテレビ電波、ＵＨＦ帯域のテレビ電波の各信号は、ＶＨＦ・ＵＨＦ帯域用増幅装置３で所定レベルまで増幅され、伝送線路１０ａを介して混合器４００の第１入力端子４０ｃに入力される。一方、第１入力端子４０ｃからはＤＣ１１〜１５Ｖが出力され、伝送線路１０ａを介して前記増幅装置３に供給され、増幅装置３の動作電源として使用される。尚、前記増幅装置３の内部には、電源電圧を安定化させるための安定化電源としてＤＣ−ＤＣコンバータ回路が設置されている。
【００１４】
次に、第１の放送衛星（以下、ＢＳとする。）およびＢＳと同一軌道を周回する通信衛星（以下、ＣＳとする。）から発射された右旋または左旋の円偏波の電波は、ＢＳ・ＣＳアンテナ５で受信され、ＢＳ・ＣＳアンテナ５に設けられた受信コンバータ６で前記ＶＨＦ・ＵＨＦ帯域のテレビ信号の周波数より高く、相互に重複することのない中間周波数帯域（以下、ＢＳ−ＩＦ、ＣＳ−ＩＦとする。）に変換された後、伝送線路１０ｄを介して前記混合器４００の第２入力端子４０ｆに入力される。
一方、第２入力端子４０ｆからはＤＣ１１ＶまたはＤＣ１５Ｖが出力され、当該受信コンバータ６の動作電源として使用される。尚、ＤＣ１１Ｖが入力された場合は、前記ＣＳの左旋円偏波信号は前記左旋の中間周波数（以下、ＣＳＬ−ＩＦとする。）信号に周波数変換される。また、ＤＣ１５Ｖが入力された場合は、前記ＣＳの右旋円偏波信号は前記右旋の中間周波数（以下、ＣＳＲ−ＩＦとする。）信号に周波数変換される。
【００１５】
前記ＶＨＦ・ＵＨＦ帯域のテレビ信号、ＢＳ−ＩＦ信号およびＣＳ−ＩＦ信号（詳しくはＣＳＬ−ＩＦ信号またはＣＳＲ−ＩＦ信号のいずれか一方の信号）周波数より高く、且つ、いずれの周波数とも重なることのない第２の放送衛星から発射された衛星デジタル音声放送の電波は、衛星デジタル音声放送受信アンテナ７で受信され、前記衛星デジタル音声放送受信アンテナ７の内部に設けられた低雑音増幅装置８で所定のレベルに増幅され、伝送線路１０ｃを介して混合器４００の第３入力端子４０ｅに入力される。一方、第３入力端子４０ｅからはＤＣ１１〜１５Ｖが出力され、伝送線路１０ｃを介して前記低雑音増幅装置８に供給され、当該低雑音増幅装置８の動作電源として使用される。
尚、前記衛星デジタル音声放送受信アンテナ７は、移動体の屋根などにも設置できるように小型の平面アンテナで構成されている。また、内蔵されている前記低雑音増幅装置８はＤＣ５〜１６Ｖの広範囲の電源電圧に対応するように、内部の電源回路には電源電圧を安定化するためのＤＣ−ＤＣコンバータ回路が内蔵されている。
【００１６】
第１〜第３入力端子４０ｃ，４０ｆ，４０ｅに入力されたＶＨＦ・ＵＨＦ帯域のテレビ信号、衛星デジタル音声放送信号、ＢＳ−ＩＦ信号およびＣＳ−ＩＦ信号（詳しくはＣＳＬ−ＩＦ信号またはＣＳＲ−ＩＦ信号のいずれか一方の信号）は、前記混合器４００で混合され、混合器４００の出力端子４０ｄから出力される。そして、出力端子４０ｄから出力された混合信号（以下単に、混合信号とする。）は、伝送線路１０ｂを介して分配器９まで伝送されて等分に分配された後、伝送線路１０ｅを介して複数の端末端子（テレビ端子とも言う）１１まで伝送される。
【００１７】
一方、端末端子１１から入力されたＤＣ１１〜１５Ｖは、伝送線路１０ｅ、分配器９、伝送線路１０ｂを介して前記混合器４００の出力端子４０ｄに供給される。尚、本システムに使用する分配器は、各出力端子と入力端子が各々ＤＣ電源を通過できるタイプのものを使用するのが望ましい。この場合、全ての端末端子に後述する端末装置を任意に接続することが可能となる優れた効果が得られる。
【００１８】
次に、端末端子１１に接続する端末装置について詳細に説明する。
端末端子１１から出力された前記混合信号は、伝送線路１０ｆを介して第１の分波器１２の入力端子１２ａに入力される。分波器１２は、前記混合信号からＶＨＦ・ＵＨＦ帯域のテレビ信号を分離して出力端子１２ｃに出力する。ＶＨＦ・ＵＨＦ帯域のテレビ信号は、伝送線路１０ｇを介してテレビ受信機１７に入力され、映像と音声が出力される。そして、入力端子１２ａに入力された前記混合信号から、ＶＨＦ・ＵＨＦ帯域のテレビ信号を除いた残りの信号が出力端子１２ｂから出力され、伝送線路１０ｈを介して第２の分波器１３の入力端子１３ａに入力される。
【００１９】
また、分波器１３に入力された残りの信号から、衛星デジタル音声放送信号を分離して出力端子１３ｃから出力する。出力端子１３ｃから出力された衛星デジタル信号は、伝送線路１０ｊを介して衛星デジタル音声放送信号受信機１６に入力され、音声と静止画像が復調され、テレビ受信機１７に入力され、音声と静止画像が出力される。
尚、衛星デジタル音声放送信号受信機１６には携帯端末装置１８がＵＳＢまたはＩＥＥＥ１３９４の汎用のインターフェースを介して接続できるようにされている。また、インターフェースの手段はこれに限定されるものではなく、電波や光伝送など公知の技術を用いても良い。
【００２０】
そして、分波器１３に入力されたＶＨＦ・ＵＨＦ帯域のテレビ信号を除く混合信号から、衛星デジタル音声放送信号を除いた残りの信号、換言するとＢＳ−ＩＦ信号およびＣＳ−ＩＦ信号、詳しくはＣＳＬ−ＩＦ信号またはＣＳＲ−ＩＦ信号のいずれか一方の信号が出力端子１３ｂから出力される。出力端子１３ｂから出力されたＢＳ−ＩＦ信号およびＣＳ−ＩＦ信号は、伝送線路１０ｉおよび電源装置１４、伝送線路１０ｋを介してＢＳ・ＣＳ共用セットトップボックス（以下、ＳＴＢとする。）１５に入力され、映像と音声が復調され、テレビ受信機１７に入力され映像と音声が出力される。
【００２１】
一方、ＳＴＢ１５の入力端子には、視聴者が選択した番組に対応するＤＣ１１ＶまたはＤＣ１５Ｖのいずれか一方に対応する偏波切替信号が出力されており、この偏波切替信号が伝送線路１０ｋを介して電源装置１４に供給される。
電源装置１４は、前記増幅装置３、ＢＳ・ＣＳアンテナ５の受信コンバータ６、衛星デジタル音声放送受信アンテナ７の低雑音増幅装置８に動作電源を供給するのに十分なＤＣ電力を生成するとともに、ＳＴＢ１５から送出される偏波切替信号に対応したＤＣ電圧を出力し、伝送線路１０ｉ、分波器１３、伝送線路１０ｈ、分波器１２、伝送線路１０ｆを介して前記端末端子１１へＤＣ電圧を供給する。
尚、ＳＴＢ１５からの偏波切替信号が無い場合は、ＤＣ１５Ｖを供給するようにされている。また、本実形態では分波器１２、１３、電源装置１４を個別の装置として説明したが、分波器１２、１３、電源装置１４を一体に形成しても良いし、それぞれのパーツを組み合わせて構成しても良い。
【００２２】
次に、混合器４００を図２を基に詳細に説明する。混合器４００には第１〜第３の３つの入力端子４０ｃ，４０ｆ，４０ｅと、出力端子４０ｄが設けられている。第１入力端子４０ｃは第１の伝送経路３０ｃが接続され、電力を第１の伝送経路３０ｃに混合する第１の電源フィルタ（以下、第１ＰＳＦとする。）４５ｃとローパスフィルタ（以下、第１ＬＰＦとする。）４１が設けられている。そして、第１入力端子４０ｃに入力されたＶＨＦ・ＵＨＦ帯域のテレビ信号は、７７０ＭＨｚ以下の信号が通過する。
そして、第１ＬＰＦ４１を通過した後、第４ＰＳＦ４５ｄを介して出力端子４０ｄに出力される。尚、第１ＬＰＦ４１は、後述するハイパスフィルタ（以下、第４ＨＰＦとする。）４２を通過してきた１０３２ＭＨｚ以上のＢＳ−ＩＦ、ＣＳ−ＩＦ、衛星デジタル音声放送信号が第１入力端子４０ｃ側に漏洩するのを防止するための素子である。
【００２３】
第２入力端子４０ｆは第２の伝送経路３０ｆが接続され、電力を第２の伝送経路３０ｆに混合する第２の電源フィルタ（以下、第２ＰＳＦとする。）４５ｆと２０７１ＭＨｚ以下のＢＳ−ＩＦ、ＣＳ−ＩＦ信号が通過するローパスフィルタ（以下、第２ＬＰＦとする。）４４が設けられている。そして、第２入力端子４０ｃに入力されたＢＳ−ＩＦ、ＣＳ−ＩＦ信号は、第２の電源フィルタ４５ｆ及び第２ＬＰＦ４４、そして第４ＨＰＦ４２を通過した後、第４の電力を分離する電源フィルタ（以下、第４ＰＳＦとする。）４５ｄを介して出力端子４０ｄに出力される。
尚、第２ＬＰＦ４４は、後述する第３ＨＰＦ４３を通過した衛星デジタル音声放送信号が第２入力端子４０ｆ側に漏洩するのを防止するための素子であり、第４ＨＰＦ４２は、１０３２ＭＨｚ以上のＢＳ−ＩＦ、ＣＳ−ＩＦ信号および衛星デジタル音声放送信号が通過でき、第１ＬＰＦ４１を通過したＶＨＦ・ＵＨＦ帯域のテレビ信号が第２入力端子４０ｆ、第３入力端子４０ｅ側に漏洩するのを防止するための素子である。
【００２４】
また、第３入力端子４０ｅは第３の伝送経路３０ｅが接続され、電力を第３の伝送経路３０ｅに混合する第３の電源フィルタ（以下、第３ＰＳＦとする。）４５ｅと２６３０ＭＨｚ以上の衛星デジタル音声放送信号が通過するハイパスフィルタ（以下、第３ＨＰＦとする。）４３が設けられている。そして、第３入力端子４０ｅに入力された衛星デジタル音声放送信号は、第３ＰＳＦ４５ｅ、第３ＨＰＦ４３を介して２６３０ＭＨｚ以上の衛星デジタル音声放送信号が通過する。
また、第２ＬＰＦ４４を通過したＢＳ−ＩＦ、ＣＳ−ＩＦ信号が第３入力端子４０ｅ側に漏洩するのを防止するための第３ＨＰＦ４３と、第４ＨＰＦ４２を通過した後、電力を分離する第４の電源フィルタ（以下、第４ＰＳＦとする。）４５ｄを介して出力端子４０ｄに出力される。
尚、第４ＨＰＦ４２は、１０３２ＭＨｚ以上のＢＳ−ＩＦ、ＣＳ−ＩＦ信号および衛星デジタル音声放送信号が通過でき第１ＬＰＦ４１を通過したＶＨＦ・ＵＨＦ帯域のテレビ信号が第２入力端子４０ｆ、第３入力端子４０ｅ側に漏洩するのを防止するための素子である。
【００２５】
一方、第４ＰＳＦ４５ｄの電源分離端と第１ＰＳＦ４５ｃ，第２ＰＳＦ４５ｆ，第３ＰＳＦ４５ｅの各電源混合端とが接続され、出力端子４０ｄから入力されたＤＣ１１ＶまたはＤＣ１５ＶはＰＳＦ４５ｄで分離され、第１ＰＳＦ４５ｃ、第３ＰＳＦ４５ｅ、第２ＰＳＦ４５ｆをそれぞれ介して第１〜第３入力端子４０ｃ、４０ｆ、４０ｅにそれぞれ出力される。
【００２６】
図４（ａ）は、この実施形態の混合された伝送信号の周波数スペクトラムを示し、端末端子１１から出力される信号であると同時に混合器４００の出力混合信号を示している。図において、９０〜７７０ＭＨｚの周波数帯が第１の伝送経路３０ｃから伝送される第１の周波数帯、１０３２〜２０７１ＭＨｚの周波数帯が第２の伝送経路３０ｆから伝送される第２の周波数帯、２６３０〜２６５５ＭＨｚの周波数帯が第３の伝送経路３０ｅから伝送される第３の周波数帯である。
尚、図２において第１ＬＰＦ４１が第１のフィルタ手段、第２ＬＰＦ４４が第２のフィルタ手段、第３ＨＰＦ４３が第３のフィルタ手段、第４ＨＰＦ４２が第４のフィルタ手段に相当する。
【００２７】
このように異なる３つの周波数帯の信号（ＶＨＦ・ＵＨＦ帯のテレビジョン放送と、ＢＳ・ＣＳ衛星からの信号を周波数変換した中間周波数帯の信号と、衛星デジタル音声放送信号）を、容易に混合することができるし、夫々の入力端子から電力を供給できる。特に第１〜第４のフィルタ手段の組合せをハイパスフィルタとローパスフィルタで構成することで信号の減衰量を最小限に抑えることが可能で、良好に混合することができる。
また、出力端子から各入力端子に接続機器の操作信号を重畳した電力を供給できるので、衛星受信システムの構築が容易である。
更に、上記衛星受信システムは、衛星デジタル音声放送の信号をＶＨＦ・ＵＨＦ帯のテレビジョン放送信号及びＢＳ・ＣＳ衛星からの信号を周波数変換した中間周波数帯の信号等の他の受信信号と共に混合して一本の伝送線路で一般住宅内やＣＡＴＶ施設等の端末に導入するので、伝送線路を増設することなく既存のテレビ伝送系の受信システムを利用して衛星デジタル音声信号を容易に受信できる。従って、少ない設備変更及び少ない工事で衛星デジタル音声信号を受信できる。
【００２８】
次に、本発明の衛星受信システムの第２の実施形態を、図３を参照して説明する。尚、以下の説明では、前記第１の実施形態と同様の構成要素については同一符号を付与し、詳細な説明は省略する。
図３では、図１の第１の実施形態の衛星受信システムとのＶＨＦアンテナ１、ＵＨＦアンテナ２、ＶＨＦ・ＵＨＦ帯域用増幅装置３、伝送線路１０ａの換わりに外部のＣＡＴＶシステムから送られてくる下り信号を受け入れている。また２０はＣＡＴＶ線路を引込む際に設けられる保安器であり、保安器２０から下り信号を混合器４００の第１入力端子４０ｃまで伝送するための引込線２１が設けられ、伝送線路１０ｇ上にホームターミナル２２が設けられている点が図１とは異なっている。
【００２９】
保安器２０、引込線２１を介して混合器４００の第１入力端子４０ｃに入力されたＣＡＴＶ下り信号は、第１の実施形態と同じ経路で伝送線１０ｅ及び端末端子１１を介して分波器１２の出力端子１２ｃに至る。出力端子１２ｃから出力されたＣＡＴＶ下り信号は、ホームターミナル２２に入力され、選局された後、映像と音声が復調され、テレビ受信機１７に入力されて映像と音声が出力される。
図４（ｂ）は、図３における端末端子１１から出力される信号である混合器４００の混合出力信号の周波数スペクトラムの一例を示している。図４では、拡張された１０〜７７０ＭＨｚの周波数帯が第１の周波数帯であり、このようにＣＡＴＶシステムに接続されて第１の周波数帯が拡張されても３つの周波数帯の信号を容易に混合できる。
【００３０】
図５は上記図１或いは図３の衛星受信システムに適用可能な混合器の他の例を示している。図５に示す混合器４０１は、図１のシステムにおいて外付けのＶＨＦ・ＵＨＦ帯域用増幅装置３および衛星デジタル音声放送受信アンテナ７の低雑音増幅装置８が、ＤＣ１５Ｖで動作する場合に使用する混合器である。
第１〜第３の３つの入力端子４０ｃ、４０ｆ、４０ｅと出力端子４０ｄが設けられ、第１入力端子４０ｃに入力されたＶＨＦ・ＵＨＦ帯域のテレビ信号は第１ＰＳＦ４５ｃを介して、７７０ＭＨｚ以下のＶＨＦ・ＵＨＦ帯域のテレビ信号が通過して、第４ＨＰＦ４２を通過した１０３２ＭＨｚ以上のＢＳ−ＩＦ、ＣＳ−ＩＦ、衛星デジタル音声放送信号が第１入力端子４０ｃ側に漏洩するのを防止するための第１ＬＰＦ４１を通過した後、第４ＰＳＦ４５ｄを介して出力端子４０ｄに出力される。
【００３１】
また、第２入力端子４０ｆに入力されたＢＳ−ＩＦ、ＣＳ−ＩＦ信号は、第２ＰＳＦ４５ｆを介して２０７１ＭＨｚ以下のＢＳ−ＩＦ、ＣＳ−ＩＦ信号が通過して、第３ＨＰＦ４３を通過した衛星デジタル音声放送信号が第２入力端子４０ｆ側に漏洩するのを防止するための第２ＬＰＦ４４と、１０３２ＭＨｚ以上のＢＳ−ＩＦ、ＣＳ−ＩＦ信号および衛星デジタル音声放送信号が通過でき、第１ＬＰＦ４１を通過したＶＨＦ・ＵＨＦ帯域のテレビ信号が第２入力端子４０ｆｅ、第３入力端子４０ｆ側に漏洩するのを防止するための第４ＨＰＦ４２を通過した後、第４ＰＳＦ４５ｄを介して出力端子４０ｄに出力される。
【００３２】
更に、第３入力端子４０ｅに入力された衛星デジタル音声放送信号は、第３ＰＳＦ４５ｅを介して２６３０ＭＨｚ以上の衛星デジタル音声放送信号が通過して第２ＬＰＦ４４を通過したＢＳ−ＩＦ、ＣＳ−ＩＦ信号が第３入力端子４０ｅ側に漏洩するのを防止するための第３ＨＰＦ４３と、１０３２ＭＨｚ以上のＢＳ−ＩＦ、ＣＳ−ＩＦ信号および衛星デジタル音声放送信号が通過でき第１ＬＰＦ４１を通過したＶＨＦ・ＵＨＦ帯域のテレビ信号が第２入力端子４０ｆ、第３入力端子４０ｅ側に漏洩するのを防止するための第４ＨＰＦ４２を通過した後、第４ＰＳＦ４５ｄを介して出力端子４０ｄに出力される。
【００３３】
一方、出力端子４０ｄから入力されたＤＣ１１ＶまたはＤＣ１５Ｖは、第４ＰＳＦ４５ｄで分離され、第１ＰＳＦ４５ｃ、第３ＰＳＦ４５ｅには低電圧電源としてのＤＣ−ＤＣコンバータ４６を介してＤＣ１５Ｖの低電圧が供給され、第１入力端子４０ｃ、第３入力端子４０ｅからそれぞれ出力される。そして、第２ＰＳＦ４５ｆでは、第４ＰＳＦ４５ｄと直接接続されており、第２入力端子４０ｆからＤＣ１１ＶまたはＤＣ１５Ｖが出力される。
【００３４】
このように、定電圧電源を設けて定電圧を第１及び第２の伝送経路に供給するので、第１の周波数帯が入来する伝送線路に既設の直流定電圧方式のＶＨＦ・ＵＨＦ増幅装置増幅装置が設けられていても、交換することなく使用できるし、第３の周波数帯である衛星デジタル音声放送信号が入来する伝送線路に設けられた衛星デジタル音声放送の受信アンテナに定電圧を発生させるためにＤＣ−ＤＣコンバータを内蔵させる必要がなくなりアンテナの構成を簡略化できる。
【００３５】
次に、本発明の衛星受信システムの第３の実施形態を図６を基に詳細に説明する。尚、図１の第１の実施形態と同一の構成要素には同一の符号を付与し、詳細な説明は省略する。
図６では、ＶＨＦとＵＨＦの受信信号を個別に混合器４０２に入力され、混合器４０２には独立して電源部が設けられている点が図１との主な相違点であり、ＶＨＦアンテナ１で受信されたＶＨＦ帯域のテレビ信号は、伝送線路１０ｌを介して混合器４０２の第４入力端子４０ｂに入力され、ＵＨＦアンテナ２で受信されたＵＨＦ帯域のテレビ信号は、伝送線路１０ｍを介して混合器４０２の第５入力端子４０ａに入力されている。
【００３６】
また、ＢＳ及びＢＳと同一軌道を周回するＣＳから発射された右旋または左旋の円偏波の電波は、ＢＳ・ＣＳアンテナ５で受信され、ＢＳ・ＣＳアンテナ５に設けられた受信コンバータ６で前記ＶＨＦ・ＵＨＦ帯域のテレビ信号の周波数より高く、相互に重複することのないＢＳ−ＩＦ、ＣＳ−ＩＦに変換された後、伝送線路１０ｄを介して前記混合器４０２の第２入力端子４０ｆに入力される。
尚、第２入力端子４０ｆからはＤＣ１１ＶまたはＤＣ１５Ｖが出力され、当該受信コンバータ６の動作電源として使用される。そして、ＤＣ１１Ｖが入力された場合は、前記ＣＳの左旋円偏波信号は前記左旋の中間周波数帯域ＣＳＬ−ＩＦ信号に周波数変換され、ＤＣ１５Ｖが入力された場合は、前記ＣＳの右旋円偏波信号は前記右旋の中間周波数帯域ＣＳＲ−ＩＦ信号に周波数変換される。
【００３７】
そして、前記ＶＨＦ・ＵＨＦ帯域のテレビ信号周波数、ＢＳ−ＩＦ信号およびＣＳ−ＩＦ信号（詳しくはＣＳＬ−ＩＦ信号またはＣＳＲ−ＩＦ信号のいずれか一方の信号）周波数より高く、且つ、いずれの周波数とも重なることのない第２の放送衛星から発射された衛星デジタル音声放送の電波は、衛星デジタル音声放送受信アンテナ７で受信され、前記衛星デジタル音声放送受信アンテナ７の内部に設けられた低雑音増幅装置８で所定のレベルに増幅され、伝送線路１０ｃを介して混合器４０２の第３入力端子４０ｅに入力される。
【００３８】
一方、第３入力端子４０ｅからはＤＣ１１〜１５Ｖが出力され、伝送線路１０ｃを介して前記低雑音増幅装置８に供給され、当該低雑音増幅装置８の動作電源として使用される。
尚、前記衛星デジタル音声放送受信アンテナ７は、移動体の屋根などにも設置できるように小型の平面アンテナで構成されている。また、内蔵されている低雑音増幅装置８はＤＣ５〜１６Ｖの広範囲の電源電圧に対応するように、内部の電源回路には電源電圧を安定化するためのＤＣ−ＤＣコンバータ回路が内蔵されている。
【００３９】
そして、混合器４０２の第２〜第５入力端子４０ｆ、４０ｅ，４０ｂ，４０ａに入力されたＶＨＦ・ＵＨＦ帯域のテレビ信号、衛星デジタル音声放送信号、ＢＳ−ＩＦ信号およびＣＳ−ＩＦ信号（詳しくはＣＳＬ−ＩＦ信号またはＣＳＲ−ＩＦ信号のいずれか一方の信号）は、それぞれ混合器４０２に内蔵された増幅装置によってそれぞれ所定レベルに増幅された後に混合され、混合器４０２の出力端子４０ｄから出力される。
出力端子４０ｄから出力された混合信号は、伝送線路１０ｂを介して分配器９まで伝送されて等分に分配された後、伝送線路１０ｅを介して複数の端末端子（テレビ端子とも言う）１１まで伝送される。一方、端末端子１１から入力されたＤＣ１１〜１５Ｖは、伝送線路１０ｅ、分配器９、伝送線路１０ｂを介して前記混合器４０２の出力端子４０ｄに供給される。
【００４０】
尚、本システムに使用する分配器９は、当該分配器９の各出力端子と入力端子が各々ＤＣ電源を通過できるタイプのものを使用するのが望ましい。この場合、全ての端末端子に後述する端末装置を任意に接続することが可能となる優れた効果が得られる。また、端末端子１１に接続する端末装置については、図１に示すシステム例と同等なので、ここでは省略する。
【００４１】
次に、混合器４０２について、図７のブロック図を基に詳細に説明する。混合器４０２には第２〜第５の４つの入力端子４０ｆ、４０ｅ、４０ｂ、４０ａと出力端子４０ｄ、そして電源端子４０ｇが設けられている。第４入力端子４０ｂに入力されたＶＨＦ帯域のテレビ信号は、２個１組で構成される第１増幅装置４８ａ，４８ｂのうちの一方の増幅装置４８ｂで所定レベルに増幅された後、ＵＨＦ帯域のテレビ信号を阻止しＶＨＦ帯域のテレビ信号を通過するローパスフィルタ（以下、第５ＬＰＦとする。）５０に入力される。また、第５入力端子４０ａに入力されたＵＨＦ帯域のテレビ信号は、他方の増幅装置４８ａで増幅された後、ＶＨＦ帯域のテレビ信号を阻止しＵＨＦ帯域のテレビ信号を通過するハイパスフィルタ（以下、第６ＨＰＦとする。）４９に入力される。
【００４２】
第６ＬＰＦ４９と第５ＨＰＦ５０は、それぞれの出力端において接続され、ＶＨＦ帯域のテレビ信号とＵＨＦ帯域のテレビ信号が混合され、ＶＨＦ・ＵＨＦ帯域のテレビ信号となる。そしてＶＨＦ・ＵＨＦ帯域のテレビ信号は、７７０ＭＨｚ以下のテレビ信号が通過し、第４ＨＰＦ４２を通過した１０３２ＭＨｚ以上のＢＳ−ＩＦ、ＣＳ−ＩＦ、衛星デジタル音声放送信号を阻止する第１ＬＰＦ４１を通過した後、第４ＰＳＦ４５ｄを介して出力端子４０ｄに出力される。
【００４３】
また、第２入力端子４０ｆに入力されたＢＳ−ＩＦ、ＣＳ−ＩＦ信号は、第２ＰＳＦ４５ｆを介して第２増幅装置４８ｆで所定レベルに増幅された後、２０７１ＭＨｚ以下のＢＳ−ＩＦ、ＣＳ−ＩＦ信号が通過して、第３ＨＰＦ４３を通過した衛星デジタル音声放送信号を阻止するための第２ＬＰＦ４４と、１０３２ＭＨｚ以上のＢＳ−ＩＦ、ＣＳ−ＩＦ信号および衛星デジタル音声放送信号が通過でき、第１ＬＰＦ４１を通過したＶＨＦ・ＵＨＦ帯域のテレビ信号を阻止する第４ＨＰＦ４２を通過した後、第４ＰＳＦ４５ｄを介して出力端子４０ｄに出力される。
【００４４】
第３入力端子４０ｅに入力された衛星デジタル音声放送信号は、ＰＳＦ４５ｅを介して第３増幅装置４８ｅで所定レベルに増幅された後、２６３０ＭＨｚ以上の衛星デジタル音声放送信号が通過して第２ＬＰＦ４４を通過したＢＳ−ＩＦ、ＣＳ−ＩＦ信号を阻止するための第３ＨＰＦ４３と、１０３２ＭＨｚ以上のＢＳ−ＩＦ、ＣＳ−ＩＦ信号および衛星デジタル音声放送信号が通過でき第１ＬＰＦ４１を通過したＶＨＦ・ＵＨＦ帯域のテレビ信号を阻止するための第４ＨＰＦ４２を通過した後、第４ＰＳＦ４５ｄを介して出力端子４０ｄに出力される。
また、出力端子４０ｄから入力されたＤＣ１１ＶまたはＤＣ１５Ｖは第４ＰＳＦ４５ｄで分離され、第２ＰＳＦ４５ｆを介して第２入力端子４０ｆに出力される。
【００４５】
さらに、混合器４０２には電源端子４０ｇに入力したＡＣ１００Ｖを直流の定電圧（例えばＤＣ１５Ｖ）に変換する電源部４７を内蔵している。電源部４７の出力は、第１増幅装置４８ａ，４８ｂ、第２増幅装置４８ｆ、第３増幅装置４８ｅに接続されて電力を供給するとともに第３ＰＳＦ４５ｅと接続され第２入力端子４０ｅから衛星デジタル音声放送受信アンテナ７の内部に設けられた低雑音増幅装置８に電源を供給する。尚、図７において１組の第１増幅装置４８ａ，４８ｂが設けられた経路が第１の伝送経路に相当し、第２増幅装置４８ｆが設けられた経路が第２の伝送経路に相当し、第３増幅装置４８ｅが設けられた経路が第３の伝送経路に相当する。
【００４６】
このように、ハイパスフィルタとローパスフィルタでフィルタ手段を構成することで、信号の減衰量を最小限に抑えることができ、ＶＨＦ・ＵＨＦ帯のテレビジョン放送信号と、ＢＳ・ＣＳ衛星からの信号を周波数変換した中間周波数帯の信号と、衛星デジタル音声放送の信号とを良好に混合することができる。
また、増幅装置を内蔵するので別途アンテナの近傍に増幅装置を設ける必要が無く衛星受信設備の工事が簡略化でき、衛星受信システムを容易に構築できる。その際、この混合器のように入力端子を４つとして、ＶＨＦとＵＨＦの入力端子を分離すれば、ＶＨＦとＵＨＦの混合手段も必要なくなる。
【００４７】
次に本発明の衛星受信システムの第４の実施形態を図８のブロック図を参照して説明する。尚、以下の説明では、第１の実施形態と同様の構成要素については同一符号を付与し、詳細な説明は省略する。
図８のシステムは、ＢＳ−ＩＦ、ＣＳＲ−ＩＦ、ＣＳＬ−ＩＦの各信号が相互に重複しないようＣＳＬ−ＩＦをＣＳＲ−ＩＦより高い周波数ＣＳＬ−ＩＦｃに周波数変換して出力するようＢＳ・ＣＳアンテナ５１０の受信コンバータ６１０が構成され、それに伴い混合器４０３の各フィルタ特性が変更され、さらに受信端側の分波器１３とＳＴＢ１５の間に、電源装置の機能を有するダウンコンバーター２３が設けられている点が図１との主な相違点となっている。
そして、図８の受信システムの端子端末１１の出力信号は、図１１（ａ）の周波数スペクトラムに示す周波数配列となっている。図示するように第２の周波数帯が１０３２〜２６０２ＭＨｚと拡張されている。
【００４８】
混合器４０３は図９に示す構成を成し、混合器４００におけるＬＰＦ４４の換わりに２６０２ＭＨｚ以下のＢＳ−ＩＦ、ＣＳＲ−ＩＦ、ＣＳＬ−ＩＦｃ信号が通過するローパスフィルタ（以下、第７ＬＰＦとする）５１が設けられている。尚、第７ＬＰＦ５１は第２のフィルタ手段に相当する。
【００４９】
次に、ダウンコンバータ２３について、図１０のダウンコンバータのブロック図を参照して説明する。ダウンコンバータ２３の入力端子２３０ａに入力されたＢＳ−ＩＦ、ＣＳＲ−ＩＦ、ＣＳＬ−ＩＦｃ信号は、ＳＴＢ１５から伝送線路１０ｋに送られた偏波信号（ＤＣ１１ＶまたはＤＣ１５Ｖのいずれか一方）をＰＳＦ２３６で分離し電圧検出部２３７に供給する。そして、電圧検出部２３７により判別され、スイッチ２３３を自動的に切替えて２つの経路のうちどちらか一方を通過してＳＴＢ１５へ出力される。
例えば、ＳＴＢ１５からの偏波信号がＤＣ１１Ｖの場合は、スイッチ２３３は▲１▼側へ切替わり、ＢＳ−ＩＦ、ＣＳＲ−ＩＦ、ＣＳＬ−ＩＦｃ信号は２１２６ＭＨｚ以上のＣＳＲ−ＩＦｃ帯域を通過させて、２０７１ＭＨｚ以下のＢＳ−ＩＦ、ＣＳＲ−ＩＦ帯域を阻止するＨＰＦ２３４を通過して周波数変換器２３５へ入力される。ＨＰＦ２３４を通過した２１２６〜２６０２ＭＨｚ帯域のＣＳＬ−ＩＦｃは、周波数変換器２３５により１５７５〜２０５１ＭＨｚ帯域へ変換されＳＴＢ１５へ出力される。この時の図８に示すＰ点の周波数スペクトラムを図１１（ｃ）に示す。
また、ＳＴＢ１５からの偏波信号がＤＣ１５Ｖの場合はスイッチ２３３は▲２▼側へ切替わり、ＢＳ−ＩＦ、ＣＳＲ−ＩＦ、ＣＳＬ−ＩＦｃ信号はそのままＳＴＢ１５へ出力される。この時のＰ点の周波数スペクトラムを図１１（ｂ）に示す。
【００５０】
尚、電圧検出部２３７はＤＣ１１Ｖを検出したときにはスイッチ２３３を▲１▼側に切替えるとともに、周波数変換器２３５の電源をオンにし、ＤＣ１５Ｖを検出したときにはスイッチ２３３を▲２▼側へ切替えるとともに周波数変換器２３３の電源をオフにする電源制御機能を備えている。
【００５１】
ダウンコンバータ２３の入力端子２３０ａとスイッチ２３３の間には、電源部２３２から出力されたＤＣ１５Ｖを入力端子２３０ａに出力させるＰＳＦ２３１が設けられている。また、ダウンコンバータ２３の出力端子２３０ｂには、ＢＳ−ＩＦ、ＣＳＲ−ＩＦ、ＣＳＬ−ＩＦｃ帯域とＳＴＢ１５から出力された偏波信号（ＤＣ１１ＶまたはＤＣ１５Ｖのいずれか一方）を分離するＰＳＦ２３６が設けられている。
このように、ＣＳＲ−ＩＦとＣＳＬ−ＩＦ双方の信号を同時に伝送するシステムであっても上記混合器は良好に各信号を混合できるし、このように受信システムを構成することで、ＢＳ・ＣＳアンテナの構成を簡略化できる。
【００５２】
次に、本発明の衛星受信システムの第５の実施形態を図１２のブロック図を参照して説明する。尚、以下の説明でも上記第１の実施形態と同様の構成要素については同一符号を付与し、詳細な説明は省略する。
この実施形態では、衛星デジタル音声放送信号の第３入力端子４０ｅを持たない従来から使用されている汎用の混合器４を使用し、ＢＳ−ＩＦ、ＣＳ−ＩＦ信号と衛星デジタル音声放送信号を混合するための結合器１１０を汎用の混合器４の近傍に設置し、その出力を混合器４の第２入力端子４０ｆに入力している点が図１との主な相違点となっている。
【００５３】
結合器１１０は図１３に示す構成を成し、入力端子１００ｃに入力された衛星デジタル音声放送信号は、ＤＣ１１ＶまたはＤＣ１５Ｖと２６３０〜２６５５ＭＨｚ帯域の衛星デジタル音声放送信号帯域とを分離するＰＳＦ１０６と、２６３０ＭＨｚ以上の周波数を通過するＨＰＦ１０５と、可変アッテネータ１０４を介して分岐器１０２の分岐端子１０２ｃへ入力され、ＢＳ−ＩＦ、ＣＳ−ＩＦ、衛星デジタル音声放送信号帯域とＤＣ１１ＶまたはＤＣ１５Ｖとを分離するＰＳＦ１０１を介して結合器１１０の出力端子１００ａに出力される。
尚、分岐器１０２の分岐端子１０２ｃと出力端子１０２ｂに入力された信号は、分岐器１０２の逆結合損失のために相互に通過することはない。また、可変アッテネータ１０４により衛星デジタル音声放送信号のレベルを調整することができる。
【００５４】
また、結合器１１０の入力端子１００ｂに入力されたＢＳ−ＩＦ、ＣＳ−ＩＦ信号は、ＢＳ−ＩＦ、ＣＳ−ＩＦ信号とＤＣ１１ＶまたはＤＣ１５Ｖとを分離するＰＳＦ１０３を介して分岐器１０２の出力端子１０２ｂに入力され、ＰＳＦ１０１を介して結合器１１０の出力端子１００ａに出力される。
一方、汎用の混合器４の第２入力端子４０ｆから出力されたＤＣ１１ＶまたはＤＣ１５Ｖは、ＰＳＦ１０１、ＰＳＦ１０３を介して結合器１１０の入力端子１００ｂへ出力されるとともに、ＰＳＦ１０１、ＰＳＦ１０６を介して結合器１１０の入力端子１００ｃへ出力される。
【００５５】
このように、ＢＳ−ＩＦ、ＣＳ−ＩＦ信号と衛星デジタル音声放送信号を混合する結合器を用いることで、ＶＨＦ・ＵＨＦ帯のテレビジョン放送と、混合されたＢＣ・ＣＳ衛星からの信号を周波数変換した中間周波数帯の信号及び衛星デジタル音声放送の信号とを汎用の混合器で混合して１本の伝送線路で受信端に伝送することができる。
尚、分岐器１０２は換わりに分配器を用いても良いし、結合器１１０は図１３に示すように一体に形成しても良いし、それぞれのパーツを組み合わせて構成しても良い。また、結合器１１０を汎用の混合器４に内蔵して一体にしても良い。
【００５６】
次に、本発明の第６の実施形態について、図１４を基に詳細に説明する。図１４の各アンテナから端末端子までの構成は図１の構成と同様であり、端末端子１１までの説明は省略する。
端末端子１１から出力された混合信号は、伝送線路１０ｆを介して第１の分波器１２の入力端子１２ａに入力される。分波器１２は、前記混合信号からＶＨＦ・ＵＨＦ帯域のテレビ信号を分離して出力端子１２ｃに出力する。ＶＨＦ・ＵＨＦ帯域のテレビ信号は、伝送線路１０ｇを介してテレビ受信機１７に入力され、映像と音声が出力される。
【００５７】
また、入力端子１２ａに入力された混合信号から、ＶＨＦ・ＵＨＦ帯域のテレビ信号を除いた残りの信号が出力端子１２ｂから出力され、伝送線路１０ｈを介して第２の分波器１３の入力端子１３ａに入力される。分波器１３に入力された前記残りの信号から、衛星デジタル音声放送信号が分離されて出力端子１３ｃから出力される。
そして、ＢＳ−ＩＦ信号およびＣＳ−ＩＦ信号（詳しくはＣＳＬ−ＩＦ信号またはＣＳＲ−ＩＦ信号のいずれか一方の信号）が出力端子１３ｂから出力される。出力端子１３ｂから出力されたＢＳ−ＩＦ信号およびＣＳ−ＩＦ信号は、伝送線路１０ｉおよび電源装置１４、伝送線路１０ｋを介してＢＳ・ＣＳ共用セットトップボックス（以下ＳＴＢと言う）１５に入力され、映像と音声が復調され、テレビ受信機１７に入力され映像と音声が出力される。
【００５８】
一方、前記ＳＴＢ１５の入力端子からは、図１の第１実施形態と同様に、視聴者が選択した番組に対応する偏波切替信号が出力されており、この偏波切替信号が伝送線路１０ｋを介して電源装置１４に供給される。そして電源装置１４は、増幅装置３、ＢＳ・ＣＳアンテナ５（詳しくは受信コンバータ６）、衛星デジタル音声放送受信アンテナ７（詳しくは低雑音増幅装置８）に動作電源を供給するのに十分なＤＣ電力を生成するとともに、前記ＳＴＢ１５から送出される偏波切替信号に対応したＤＣ電圧を出力し、伝送線路１０ｉ、分波器１３、伝送線路１０ｈ、分波器１２、伝送線路１０ｆを介して前記端末端子１１へＤＣ電圧を供給する。尚、ＳＴＢ１５からの偏波切替信号が無い場合は、ＤＣ１５Ｖを供給するようになっている。
【００５９】
そして、分波器１３の出力端子１３ｃには、衛星デジタル音声放送信号を増幅する増幅装置２６、衛星デジタル音声放送信号のみ通過させるバンドパスフィルタ２７を介して前記衛星デジタル音声放送信号を再送信する再送信アンテナ５００が取付けられ、前記衛星デジタル音声放送信号を再放射している。また、２４は衛星デジタル音声放送受信装置、２５は衛星デジタル音声放送信号受信機能を持った携帯端末を示し、再放射された衛星デジタル音声放送信号を夫々のアンテナ５０１，５０１で受信される。尚、前記アンテナ５０１は本実施例では外付けアンテナであるが、各機器に内蔵させても良い。
【００６０】
このように、衛星デジタル音声放送の再送信アンテナを設けたので、室内でも携帯端末により衛星デジタル音声放送を受信することが可能となり、携帯端末を室内で使用する際に端末端子等に接続する煩わしさが無くなる。
また、バンドパスフィルタ２７を設けたので、衛星デジタル音声放送信号以外の信号は再送信されず、同一チャンネルビート等の妨害を与えることがないし、再送信信号は増幅されるので、室内にて良好に受信できる。
【００６１】
尚、上記に実施形態の混合器は、入力端子が３個或いは４個の場合、更には従来の２個の場合について説明したが、混合器に入力される周波数帯が異なっていれば入力端子を増やして混合器を構成することもできる。また、第１の周波数帯をＶＨＦ，ＵＨＦ、第２の周波数帯をＢＳ，ＣＳとしているが、他の地上波信号或いは衛星信号としても良いし、一方の信号がなくても良い。
【００６２】
【発明の効果】
請求項１，２，３の発明によれば、衛星デジタル音声放送の信号と、例えばＶＨＦ・ＵＨＦ帯のテレビジョン放送もしくはＣＡＴＶからの信号及びＢＳ・ＣＳ衛星からの信号を周波数変換した中間周波数帯の信号等の他の受信信号と共に混合して一本の伝送経路で一般住宅内やＣＡＴＶ施設等の端末に容易に導入できるので、既存のテレビ伝送系の受信システムを利用して伝送経路を増設することなく衛星デジタル音声信号を容易に受信できる。従って、少ない設備変更及び少ない工事で衛星デジタル音声信号を受信できる。
【００６７】
そして、衛星デジタル音声放送の再送信アンテナを設けたので、例えば室内でも携帯端末により衛星デジタル音声放送を受信することが可能となり、携帯端末を室内で使用する際に例えば端末端子等に接続する煩わしさが無くなる。
また、請求項４の発明によれば、衛星デジタル音声放送信号以外の信号は再送信されず、同一チャンネルビート等の妨害を与えることがないし、再送信信号は増幅されて出力されるので、室内にて良好に受信できる。
【図面の簡単な説明】
【図１】  衛星受信システムの第１の実施形態を示すブロック図である。
【図２】  混合器の１例を示し、図１の混合器の内部構成を示すブロック図である。
【図３】  衛星受信システムの第２の実施形態を示すブロック図である。
【図４】  衛星受信システムの端末端子における出力信号の周波数スペクトラムを示し、（ａ）は図１の個別受信の場合、（ｂ）は図３のＣＡＴＶに接続した場合を示している。
【図５】  混合器の他の例を示すブロック図である。
【図６】  第３の実施形態を示し、増幅装置内蔵の混合器を用いた衛星受信システムのブロック図である。
【図７】  図６の増幅装置内蔵の混合器の内部構成を示すブロック図である。
【図８】  第４の実施形態を示し、図６と異なった混合器を用いた衛星受信システムのブロック図である。
【図９】  図８の混合器の内部構成を示すブロック図である。
【図１０】  図８に示すダウンコンバータの内部構成を示すブロック図である。
【図１１】  図８の受信信号の周波数スペクトラムを示し、（ａ）は端末端子出力（混合器出力）、（ｂ）はＣＳＲの信号を受信する状態のＰ点に伝送される信号、（ｃ）はＣＳＬの信号を受信する状態のＰ点に伝送される信号である。
【図１２】  第５の実施形態を示し、結合器を用いた衛星受信システムのブロック図である。
【図１３】  図１２に示す結合器の内部構成を示すブロック図である。
【図１４】  本発明の衛星受信システムの一例を示し、衛星デジタル音声放送再送信アンテナを備えた衛星受信システムのブロック図である。
【符号の説明】
１・・ＶＨＦアンテナ、２・・ＵＨＦアンテナ、３・・増幅装置、４・・汎用の混合器、５・・ＢＳ・ＣＳアンテナ、６・・受信コンバータ、７・・衛星デジタル音声放送受信アンテナ、８・・低雑音増幅装置、９・・分配器、１０ａ〜１０ｎ・・伝送線路、１１・・端末端子（テレビ端子）、１２・・第１の分波器、１３・・第２の分波器、１４・・電源装置、１５・・セットトップボックス（ＳＴＢ）、１６・・衛星デジタル音声放送信号受信機、１７・・テレビ受信機、１８・・携帯端末装置、２０・・保安器、２１・・引込線、２２・・ホームターミナル、２３・・ダウンコンバータ、２４・・衛星デジタル音声放送受信装置、２５・・衛星デジタル音声放送の受信機能を持った携帯端末装置、２６・・増幅装置、２７・・バンドパスフィルタ、３０ｃ・・第１の伝送経路、３０ｅ・・第３の伝送経路、３０ｆ・・第２の伝送経路、４０ａ・・第５入力端子，４０ｂ・・第４入力端子，４０ｃ・・第１入力端子，４０ｅ・・第３入力端子，４０ｆ・・第２入力端子、４０ｄ・・出力端子、４１・・第１のフィルタ手段である第１ＬＰＦ、４２・・第４のフィルタ手段である第４ＨＰＦ、４３・・第３のフィルタ手段である第３ＨＰＦ、４４・・第２のフィルタ手段である第２ＬＰＦ、４５ｃ・・第１の電源フィルタ、４５ｄ・・第４の電源フィルタ、４５ｅ・・第３の電源フィルタ、４５ｆ・・第２の電源フィルタ、４６・・安定化電源としてのＤＣ−ＤＣコンバータ、４７・・電源部、４８ａ，４８ｂ・・第１の増幅装置、４８ｅ・・第３の増幅装置、４８ｆ・・第２の増幅装置、４９・・第６ＨＰＦ、５０・・第５ＬＰＦ、５１・・第７ＬＰＦ、１００ａ・・出力端子、１００ｂ，１００ｃ・・入力端子、１０１・・ＰＳＦ、１０２・・分岐器、１０２ａ・・分岐器の入力端子、１０２ｂ・・分岐器の出力端子、１０２ｃ・・分岐器の分岐端子、１０３・・ＰＳＦ、１０４・・可変アッテネータ、１０５・・ＨＰＦ、１０６・・ＰＳＦ、１１０・・結合器、２３０ａ・・入力端子、２３０ｂ・・出力端子、２３１・・ＰＳＦ、２３２・・電源部、２３３・・スイッチ、２３４・・ＨＰＦ、２３５・・ダウンコンバータ、２３６・・ＰＳＦ、４００，４０１，４０２，４０３・・混合器、５００・・再送信アンテナ、５０１・・衛星デジタル音声放送信号受信アンテナ、５１０・・ＢＳ・ＣＳアンテナ、６１０・・受信コンバータ。
【図１】
0003940028.tif 000002
【図２】
0003940028.tif 000003
【図３】
0003940028.tif 000004
【図４】
0003940028.tif 000005
【図５】
0003940028.tif 000006
【図６】
0003940028.tif 000007
【図７】
0003940028.tif 000008
【図８】
0003940028.tif 000009
【図９】
0003940028.tif 000010
【図１０】
0003940028.tif 000011
【図１１】
0003940028.tif 000012
【図１２】
0003940028.tif 000013
【図１３】
0003940028.tif 000014
【図１４】
0003940028.tif 000015